(57)【特許請求の範囲】
【請求項１】
網戸上枠と前記網戸上枠に連結された左右の網戸縦枠から成る網戸枠と、
上端部が前記網戸上枠に連結されると共に下端部が可動桟に連結されて、前記可動桟により前記左右の網戸縦枠に沿って上下動し、開放時に前記網戸枠の上端部近傍から外部に導出される略矩形のネット部を備えた網戸であって、
前記網戸縦枠の上端部近傍に前記ネット部を外部に導出する導出部を有し、
前記網戸縦枠の上下高さの約２／３の位置に、前記可動桟に係止して前記可動桟の上動を停止させるストッパを有し、
前記網戸上枠と網戸縦枠を連結するコーナーブロックを有し、
前記導出部は前記コーナーブロックに設けた建物開口部用網戸。
【請求項２】
請求項１に記載された建物開口部用網戸において、
前記コーナーブロックは、前記導出部に対応して前記ネット部の導出側と反対側に導出する前記ネット部の屈曲を促進する導出補助部を有する建物開口部用網戸。
【請求項３】
請求項１又は２に記載された建物開口部用網戸において、
前記コーナーブロックは、網戸上枠及び網戸縦枠の連結長さを調整する調整機能を有する建物開口部用網戸。
【請求項４】
請求項３に記載された建物開口部用網戸において、
前記網戸縦枠に収容されたインナーレールの下端部を上方に弾発付勢する付勢手段を備えた建物開口部用網戸。
【請求項５】
請求項１に記載された建物開口部用網戸において、
前記ネット部のネットの上下両端部は、それぞれ前記網戸上枠及び前記可動桟に押圧挿入されかつ装脱可能に収容されたインナーレールに装着されており、前記ネットの両側部は、網戸縦枠に装着されたインナーレールにガイドされて上下動する建物開口部用網戸。
【請求項６】
請求項１に記載された建物開口部用網戸において、
前記網戸上枠及び網戸縦枠は躯体開口部の上枠及び縦枠にそれぞれ固定され、前記可動桟は躯体開口部の下枠から離して配置し、前記ネット部のネットに前記可動桟の自重が作用可能にした建物開口部用網戸。
【請求項７】
請求項１に記載された建物開口部用網戸において、
前記可動桟は、前記網戸縦枠との間に隙間を存して配置すると共に、前記可動桟の横方向端部と前記網戸縦枠間の前記隙間を縮小し、前記可動桟の上下動時における前記可動桟のガタツキを防止する、前記可動桟の横方向からの突出長さが調整可能な隙間調整手段を備えた建物開口部用網戸。
【発明の詳細な説明】
【技術分野】
【０００１】
本発明は、建物開口部用網戸に関する。
【背景技術】
【０００２】
開閉窓、例えば辷り出し窓、開き窓、突き出し窓等の窓枠の内側に、防虫、目隠し、装飾等を目的とした網戸を設置することが知られている。
網戸は、窓枠などの清掃などの目的で開放する場合、その全体を開放するものの他、その一部を開放するものもある。また、網戸を開放する場合に、そのネットを巻き取ったり、畳んだりするもの以外に、網戸の外側に導出するものが知られている。
【０００３】
ネットを網戸外側に導出する網戸について、例えば、特許文献１（特許第５４２０２９１号公報）には、次のような建物開口部用スクリーン装置（又は網戸）が記載されている。
即ち、建物開口部枠の上下左右のいずれかの一側にスクリーンの一端を固定すると共に、スクリーンの他端に操作バーを取り付ける。また、スクリーン及び操作バーの両側に対向して、建物開口部枠に沿って一対のガイド枠を設け、このガイド枠でスクリーン及び操作バーの両側端を摺動可能にガイドする。
ガイド枠におけるスクリーンの最大開放位置において、ガイド枠の一部を切除し、操作バーでスクリーンをガイド枠の長手方向に押圧すると、スクリーンはガイド枠のこの切除された部分からガイド枠外に導出される。
【０００４】
この建物開口部用スクリーン装置によれば、操作バーの操作でスクリーンをガイド枠外に押し出し、スクリーンを開放することができる。
しかし、この従来のスクリーン装置では、なお、以下のような解決すべき課題がある。
即ち、操作バーをネットの最大開放位置まで上げると、ネットが開口全体の上下高さの1／２まで垂れ下がる。そのため、例えば開き窓において、窓下枠中央に設けたハンドルを操作する際に、垂れ下がったネットに手が触れ、操作し難い。
【０００５】
前記スクリーン装置における操作バーは固定できない。そのため、スクリーンの開放操作は、操作バーを持って保持しながら行う必要がある。
ネット（スクリーン）の公差や製品（建物開口部用スクリーン装置）公差によって隙間が生じると、その隙間の部分でネットにしわが発生することがある。
ネットを外すためには、操作バーをガイド枠の切欠きから抜く必要がある。そのため、切欠部を大きくする必要があり、しかも大きくした切欠きを隠すカバー材が必要となる。そのため、コストアップになるだけではなく、ネットを切欠きから導出する際に、カバー材がネットに当たり、ネットをスムーズに開閉できない可能性がある。
【先行技術文献】
【特許文献】
【０００６】
【特許文献１】特許第５４２０２９１号公報
【発明の概要】
【発明が解決しようとする課題】
【０００７】
本発明は、上記従来の建物開口部用網戸における、上記課題に鑑みてなされたものであって、その主要な目的は、網戸の開放を制限すると共に、ネットをその位置で位置保持することで、ネットの網戸枠外における垂れ下がり量を抑制すると共に、網戸を取り付けた開放窓の操作性を向上させ、かつ開放時の網戸の意匠性を向上させることである。
【課題を解決するための手段】
【０００８】
本発明は、網戸上枠と前記網戸上枠に連結された左右の網戸縦枠から成る網戸枠と、上端部が前記網戸上枠に連結されると共に下端部が可動桟に連結されて、前記可動桟により前記左右の網戸縦枠に沿って上下動し、開放時に前記網戸枠の上端部近傍から外部に導出される略矩形のネット部を備えた網戸であって、前記網戸縦枠の上端部近傍に前記ネット部を外部に導出する導出部を有し、前記網戸縦枠の上下高さの約２／３の位置に、前記可動桟に係止して前記可動桟の上動を停止させるストッパを有し、前記網戸上枠と網戸縦枠を連結するコーナーブロックを有し、前記導出部は前記コーナーブロックに設けた建物開口部用網戸である。
【発明の効果】
【０００９】
本発明によれば、網戸の開放を制限すると共に、ネットをその位置で位置保持することで、ネットの網戸枠外における垂れ下がり量を抑制すると共に、網戸を取り付けた開放窓の操作性を向上させ、かつ開放時の網戸の意匠性を向上させることができる。
【図面の簡単な説明】
【００１０】
【図１】図１Ａは、本実施形態に係る窓枠に取り付けた網戸枠を概略的に示す正面図、図１Ｂは網戸ネット部を示す正面図である。
【図２】図２Ａは、網戸上枠とインナーレールを示す断面図である。図２Ｂは、網戸縦枠とインナーレール、縦枠アタッチメントを示す断面図である。
【図３】可動桟の断面図である。
【図４】可動桟及び取手などを示す斜視図である。
【図５】コーナーブロックで連結した網戸上枠と網戸縦枠、網戸縦枠に取り付けたストッパ及び網戸縦枠に装着した縦枠キャップを示す斜視図である。
【図６】図６Ａは、網戸縦枠に装着前のストッパの斜視図、図６Ｂは、網戸縦枠に装着後のストッパの断面を示す斜視図である。
【図７】図７Ａは、網戸縦枠から外部（室内側）に導出しつつあるネットを示す斜視図、図７Ｂはその側面図である。
【図８】図８Ａは網戸ネット部の装着時における網戸の断面図、図８Ｂは網戸から網戸ネット部を外したときの断面図である。
【発明を実施するための形態】
【００１１】
本発明の実施形態に係る網戸１０（図７）について図面を参照して説明する。
図１Ａは、本実施形態に係る窓枠１に取り付けた網戸枠２を概略的に示す正面図、図１Ｂは網戸ネット（又はスクリーン）部３を示す正面図である。
本実施形態に係る網戸１０は、例えば、既存の窓枠１の室内側に取り付けられる。
網戸１０は、概略的には、図１Ａに示す、窓枠１に装着される網戸上枠１２、網戸縦枠１４と、網戸縦枠１４を窓枠１の網戸縦枠１４に取り付ける縦枠アタッチメント２４で構成される網戸枠２と、図１Ｂに示す、略矩形のネット３０と、ネット３０の上端及び下端が収容されるインナーレール２０と、で構成される網戸ネット部３を含み、網戸ネット部３には、図示のように可動桟１６が装着される。
網戸１０は、例えば特許文献１に記載された従来の網戸と同様に、窓枠１に取り付けられ、可動桟１６の上下動でネット３０を開閉する。
【００１２】
次に、網戸１０の各構成要素について説明する。
「網戸枠」
網戸１０を収容する網戸枠２は、図１Ａに示すように、下枠部分を除く枠体、即ち網戸上枠１２、左右の網戸縦枠１４がコ字状に連結に形成され、下枠に当たる部分には、図１Ｂに示す可動桟１６が網戸縦枠１４に沿って上下に移動可能に配置される。
図１Ｂに示す網戸１０のネット３０の四周端部３２ａ、３２ｂ、３２ｃは、ファスナテープのムシ（ファスナ半体）を装着し、それを合成樹脂押出し材で咥え込んで保持した構成から成る。網戸１０の網戸ネット部３は全体として矩形をなし、ネット３０と、ファスナ半体が装着された端部３２ａ、３２ｂ、３２ｃを収容する例えば合成樹脂製のインナーレール２０とから成る。
【００１３】
網戸ネット部３の上端部３２ａは網戸上枠１２に収容（押圧挿入）されるインナーレール２０に、下端部３２ｂは可動桟１６に収容（押圧挿入）されるインナーレール２０に装着される。他方、網戸ネット部３の縦端部３２ｃは、可動桟１６の上下動に伴って網戸縦枠１４中に収容されたインナーレール２０に案内されて上下動する。
【００１４】
「網戸上枠」
図２Ａは、網戸上枠１２とインナーレール２０を示す断面図である。
インナーレール２０内には、図示のようにネット３０の上端部３２ａが収容され、ネット３０は、インナーレール２０のスリット２２を通してインナーレール２０の外側に延在している。
網戸上枠１２は、アルミ合金製であり、図２Ａに示すように、断面が矩形の中空部１２ａとその中空部１２ａの下側に設けられたインナーレール２０を収容する溝部１２ｂを備えている。
網戸上枠１２は、窓枠１（図１Ａ）に例えばビス（図示せず）で一体に取り付けられる。
【００１５】
溝部１２ｂの溝壁内面一側部には横に延びた突条１２ｃが一条又は間隔を置いて複数条形成されている。他方インナーレール２０の溝壁内面他側に対向する面にも一条又は複数条の突条２０ａが形成されている。網戸上枠１２の溝部１２ｂと合成樹脂製のインナーレール２０の溝部対向面の各突条１２ｃにより、インナーレール２０を溝部に押し込んで固定（又は抜け止め）する。
【００１６】
「網戸縦枠」
図２Ｂは、網戸縦枠１４とインナーレール２０、縦枠アタッチメント２４を示す断面図である。
網戸縦枠１４は、アルミ合金製であり、図２Ｂに示すように、その全長に渡りチャネル状の縦枠アタッチメント２４に、例えばビス２４ａで取り付けられる。また、縦枠アタッチメント２４は、窓枠１の左右の縦枠１ｂに例えばビス２４ｂにより固定される（なお、網戸上枠１２は縦枠アタッチメント２４を用いず窓上枠に直接ビスなどで固定される）。
網戸縦枠１４には、インナーレール２０が収容されており、インナーレール２０は、網戸１０のネット３０を開閉する際に、その全長に渡って設けたスリット２２により抜け止め規制されたネット３０の左右両端部３２をガイドする。
【００１７】
なお、ネット３０の縦端部３２ｃは、既に述べたように、ファスナ半体を咥え込んだ樹脂押出し材が装着され構成されており、網戸縦枠１４の横幅は、図２Ｂに示すように、内部に収容されたインナーレール２０の目隠しとなる横幅Ｗとなっている。網戸縦枠１４の横幅を横幅Ｗにすることにより、紫外線により劣化しやすい縦端部３２ｃのファスナテープ（のファスナ半体）を紫外線から保護し、その劣化を抑制することができる。
【００１８】
「可動桟」
図３は、可動桟１６の断面図であり、図４は可動桟１６及び後述する取手８０などを示す斜視図である。
網戸の可動桟１６はアルミ合金製であり、図３に示すように、断面中空の部分（中空部）１６ａとその中空部１６ａの上側に設けられたインナーレール２０を収容する溝部１６ｂから成る。可動桟１６は引手部品１８中に収容されている。
溝部１６ｂの溝壁内面一側部には横に延びた突条１６ｃが一条又は間隔を置いて複数条形成されている。他方インナーレール２０の溝壁内面他側に対向する面にも、一条又は複数条の突条２０ａが形成されている。可動桟１６の溝部１６ｂとインナーレール２０の溝部対向面の各突条により、樹脂製のインナーレール２０をアルミ合金製の可動桟１６の溝部１６ｂに押し込み、その押し込み深さにより可動桟１６の高さ方向における位置を調整することができる。
【００１９】
可動桟１６と窓下枠１ｃ間には隙間が存在する。そのため可動桟１６は、窓下枠１ｃの位置と無関係にその高さ方向の位置を調整可能である。また、隙間があるため、網戸１０において可動桟１６を宙吊り状態に保持され、可動桟１６の自重によりネット３０の弛みなくし、見た目がきれいなネット３０が得られる。
また、可動桟１６の下降位置において窓下枠１ｃとの間にできる隙間を塞ぐために、可動桟１６の下端から下方に延在するカバー１６ｄと引手部品１８のカバー１８ａが、設けられている。
【００２０】
なお、可動桟１６の自重が不足するときは、可動桟１６の自重を増すか又は任意のウエイトを付加してネット３０を緊張状態にすることができる。また、図４において、可動桟１６がその横方向端部が網戸縦枠１４と当接していると、水滴が可動桟１６に溜まることがあり、これが凍ると可動桟１６の変形の原因になる。これを防止するため、可動桟１６の横方向端部を網戸縦枠１４から僅かに離して、水滴が可動桟１６に溜まらないようにする。
【００２１】
その場合、可動桟１６が網戸縦枠１４に沿って移動する際にガタついたり或いは可動桟１６が転ぶのを防止するため、本実施形態では、図４に示す板面に横方向（水平方向）に長穴４０ａを設けた隙間調整手段である可動桟キャップ４０を、可動桟１６に対して横方向変位可能にビスで固定している。
即ち、可動桟キャップ４０の横方向端面と網戸縦枠１４との隙間を極力少なくするように、可動桟１６に対する可動桟キャップ４０の取付位置を調整する。これにより、可動桟１６を網戸縦枠１４に沿ってスムーズに上下動することができる。
【００２２】
「コーナーブロック」
次に、網戸縦枠１４の上部に装着するコーナーブロック５０と、網戸縦枠１４の下端に装着する縦枠キャップ６０について説明する。
図５は、コーナーブロック５０で連結した網戸上枠１２と網戸縦枠１４、網戸縦枠１４に取り付けたストッパ７０及び網戸縦枠１４に装着した縦枠キャップ６０を示す斜視図である。
コーナーブロック５０は、網戸上枠１２と網戸縦枠１４の上部を連結する。即ち、コーナーブロック５０は、図５に示すように、網戸上枠１２の端部と連結する部分（上枠連結部）５２と、網戸縦枠１４及び縦枠アタッチメント２４の上端部に連結される部分（縦枠連結部）５４とから成っている。
【００２３】
コーナーブロック５０は、図５に示すように正面視略コ字状切欠きを備えた板状部材である。つまりコーナーブロック５０は、網戸上枠１２の端部と連結する部分５２と網戸縦枠１４及び縦枠アタッチメント２４の上端部に連結される部分５４間に渡って切り欠いた部分（切欠部）を有し、この切欠部が網戸縦枠１４の上端部近傍のネット導出部５３を構成する。また、このネット導出部５３に対してネット３０の導出側と反対側に、ネット導出部５３に対応して中央部がネット導出部５３側（ここでは室内側）に向かって湾曲状に成形されたネット導出補助部５６が設けられている。
【００２４】
ネット導出補助部５６は、後述するように、可動桟１６を持ち上げる際に、ネット導出補助部５６上で湾曲されたネット３０の室内側への折曲を促進して容易に導出できるようにするための導出補助を行う。
なお、ネット導出補助部５６の形状は、上述のものに限らず、屈曲面やテーパー面など、要するに可動桟１６を持ち上げる際に、ネット３０がネット導出補助部５６により二つ折状態で導出し易い形状になるのを促進できればよい。
【００２５】
また、このコーナーブロック５０の上枠連結部５２と、縦枠連結部５４にはそれぞれビス穴５２ａ、５４ａが設けられている。このビス穴５２ａ、５４ａは図示のように長穴に形成されており、また、網戸縦枠１４に取り付けられる縦枠アタッチメント２４の加工穴も長穴に形成されている。これらのビス穴５２ａ、５４ａが、網戸上枠１２及び網戸縦枠１４の施工誤差や公差を吸収し、かつそれらが熱伸縮した場合における、それぞれの幅方向及び高さ方向における調整代を提供している。
つまり、コーナーブロック５０は、室内側に導出するネット３０のネット導出部５３としての機能を有すると共に、連結される網戸縦枠１４と網戸上枠１２における長さの変動に対する調整機能をも有している。
【００２６】
「縦枠キャップ」
縦枠キャップ６０は、図５に示すように網戸縦枠１４の下端部の小口部分を塞ぐ板状体６２と、板状体６２に立設され網戸縦枠１４下端から挿入される突状部６４と、板状体６２から延在する部分には付勢手段、一例としてここではコイルバネ６６を嵌装するピン６８を備えている。
ここで、コイルバネ６６は、網戸縦枠１４に収容されたインナーレール２０の下端部を弾発付勢して、インナーレール２０上端部をコーナーブロック５０に常に当接する機能を有している。
この機能により、上部のコーナーブロック５０が位置調整を行ったときにも、インナーレール２０を常にその位置調整に追従させることができ、コーナーブロック５０との間に隙間が生じない。
【００２７】
「ストッパ」
網戸縦枠１４にはストッパ７０が装着される。
図６Ａは、網戸縦枠１４に装着前のストッパ７０の斜視図、図６Ｂは、網戸縦枠１４に装着後のストッパ７０の断面を示す斜視図である。
ストッパ７０は、網戸縦枠１４において可動桟１６の通路に向かって突出して上昇する可動桟１６が係止する係止部７２を有する。
本実施形態では、図示のように網戸縦枠１４の一側面に設けた取付穴１４ａに網戸縦枠１４の外面側から嵌合する突状部６４と、突状部６４と一体に形成され、可動桟１６の通路にネット３０の側端部が通過する網戸縦枠１４の内面側に突出する係止部７２とを有する。
【００２８】
ストッパ７０は、図６Ｂに示すように取付穴１４ａと取付穴１４ａに隣接し網戸縦枠１４の内側端部から凹状に切欠き形成された部分の間の柱状の部分１４ｂを、突状部６４と係止部７２で挟んで保持するようにして、網戸縦枠１４に取り付けられる。
係止部７２は、網戸の開放時において持ち上げられ、上昇してくる可動桟１６を、その段部に載置することで係止し、可動桟１６のそれ以上の上昇を阻止する。
【００２９】
ストッパ７０の取付位置は、網戸縦枠１４の上下間の長さ（高さ）の約２／３のところに設定されているのが好ましい。なお、ここで約の意味は厳密に２／３でなく、その近傍を含むとの意味であり、ネット３０が実質上同じ長さで３折が維持できればよい。
即ち、ストッパを、このように網戸縦枠１４の上下間の長さ（高さ）の約２／３のところに設置することで、後述する取手８０を持って可動桟１６を持ち上げて網戸１０を開放し、可動桟１６をストッパ７０に係止したとき、コーナーブロック５０のネット導出部５３から室内側に導出されたネット３０は、室内側に二つ折状態で下方に延伸し、その二つ折りの長さは、インナーレール２０内に残留するネットの長さとほぼ同じになる。
【００３０】
この状態では、ネット３０は全体として三つ折りされた状態になり、室外側で下方に延在するネット３０の長さは、従来のようにネット３０を全開、即ち全て室外側に延在させて二つ折状態にした場合に比べて、室外側で下方に延在するネット３０の長さが（網戸縦枠長さの１／２−１／３分）短くなる。
そのため、従来のように、開放に伴い室内側に垂れ下がったネット３０が、例えば開き窓のハンドル操作をする手の上に被さり、被さったネット３０を手で離して支えながら操作する不便さが解消できる。
【００３１】
なお、ストッパ７０は、室外側に延出したネット３０の重量により可動桟１６がストッパ７０に当接した状態が維持できる場合は、単に戸当たりとして形成してもよく、強制的に保持するのであればスナップキャッチなどの構成を採ることができる。また、ストッパの取り付け手段も上述のものに限らず任意の構造が採用可能である。
【００３２】
「取手」
可動桟１６には取手８０が装着される。ここでは図４及び５を参照して説明する。
図４には、可動桟１６に装着される取手８０及び上述の可動桟キャップ４０を示す斜視図が示されている。
取手８０は、図４に示す例では可動桟１６の例えばその長手方向中央部に装着される。
取手８０は、図示のように手掛り部８２と、手掛り部８２の裏面に可動桟１６にスナップ係止できる係止部（図示せず）を備えている。
取手８０は、図５に示すように、可動桟１６の両側部に一対設けてもよい。この場合は取手８０にこれも隙間調整手段である取手小口キャップ８４を備えることで上述の可動桟キャップ４０の隙間調整機能を付加することができる。
【００３３】
即ち、図５において、取手８０は可動桟１６の横方向両端部に装着され、例えばその底面において可動桟１６にビス止めする構造である。その場合、そのビス穴を長穴に構成して取手８０を可動桟１６に対して横方向変位可能に取り付ける。
即ち、網戸縦枠１４と取手８０の横方向側面の取手小口キャップ８４との隙間（クリアランス）を極力小さくするように調整して可動桟１６に取り付ける。
これにより、上述の可動桟キャップ４０を取り付けたときと同様に、網戸縦枠１４と可動桟１６との間に隙間を存しつつ、ガタツキがなくまた可動桟１６の転びのないスムーズな上下動が可能である。
【００３４】
次に、以上の構成を備えた網戸１０の開閉動作について説明する。
即ち、網戸の可動桟１６の取手８０を持って持ち上げると、ネット３０が上昇する。ネット３０の上端部は網戸上枠１２に収容されたインナーレール２０に収容・係止されているため、上昇するネット３０は、コーナーブロック５０のネット３０の導出部５３から室内側に膨出する。
【００３５】
図７Ａは、網戸縦枠１４から外部（室内側）に導出しつつあるネット３０を示す斜視図、図７Ｂはその側面図である。
ここで、図７Ａにおいて、可動桟１６をさらに上昇させると、それに伴って室内側に膨出するネット量が増大し、導出されるネット３０は、二つ折りした状態で自身の重量により下方に下がる。
可動桟１６は網戸縦枠１４に設けたストッパ７０に係止されて、その位置に保持される。
【００３６】
本実施形態では、その上昇位置は網戸縦枠１４の上下寸法の約２／３の部分に設定されている。そのため、可動桟１６が停止した位置では、室内側に導出された二つ折りネット３０の上下方向長さと、網戸１０内にあるネット３０の上下長さとが略等しくなる。つまり、室内側に下がってくるネット３０と網戸枠内において押し上げたネット３０の下端（可動桟１６の下端）とが略等しい位置でネット３０の上昇（開放）を停止する。
【００３７】
このため、室内側に導出されるネット３０の下端位置を従来の網戸１０におけるよりも高い位置にでき、したがって、ネット３０を開放してその外側にある窓を開閉操作したり、或いは清掃したりする際に、室内側に導出されたネット３０が手の上に重なる煩わしさを大幅に低減することができる。
網戸を閉じるときは、可動桟１６を下降させれば、それに伴ってコーナーブロック５０のネット導出部５３から導出されたネット３０が網戸枠内に引き戻されてもとの状態に戻る。
【００３８】
次に、網戸１０において、ネット３０を交換する場合について説明する。
図８Ａは網戸ネット部３の装着時における網戸１０の断面図、図８Ｂは網戸１０から網戸ネット部３を外したときの断面図である。
本実施形態では、ネット３０の交換はネット３０の上下のインナーレール２０と共に行う。即ち、網戸ネット部３を網戸１０から外すときは、ネット３０の上下端部を収容する上下のインナーレール２０の取手となる鍔部分２５を持って或いはその一方を持って交互に、両者の距離が縮まる方向に力を加える。それによって、図８Ｂに示すようにそれぞれ網戸上枠１２及び可動桟１６から外すことができる。
【００３９】
本実施形態によれば、このように、ネットをインナーレールと共に網戸１０外に容易に取り出し、交換用のネット３０を収容した上下のインナーレール２０を図８Ａの手順と逆の手順で網戸上枠１２及び可動桟１６に挿入する。
そのため、従来のように、ネット（スクリーン）に可動桟（操作バー）をつけたまま、しかも網戸縦枠に設けた切欠きから挿脱する場合のように、網戸縦枠の切欠部を大きくする必要がない。
このように、本実施形態によれば、ネット３０の交換を容易に行うことができる。
【００４０】
以上説明したように、本実施形態の網戸によれば、ネットの導出部とその最大開放位置（ストッパへの係止位置）を離したことにより、可動桟をストッパで固定することで、窓の操作ハンドルがセンターにある場合でもネットに触れずに操作することができる。
また、窓枠１のコーナーブロックのネットに導出部を備えたことで、従来のように網戸縦枠に大きな切欠部を設け、かつ大きな切欠部を隠すためのカバーを用いることがなく、構造もコストの低廉化も可能である。
インナーレールをそれぞれ上枠、可動桟から引き出すだけの簡易な操作でネットを取り外すことができ、従来のように可動桟を網戸縦枠の切欠部から外す必要はない。
【００４１】
また、コーナーブロックにより網戸上枠と網戸縦枠の連結を行い、かつコーナーブロックに幅及び上下方向の長さ調節機能を持たせたことにより、上枠と縦枠間における寸法調整を容易に行うことができる。
可動桟と縦枠の間に隙間を設け、可動桟には、その隙間を最小限に調整するためのキャップ又は取手を設けたことで、可動桟と縦枠間に水滴が溜まって凍結して可動桟や縦枠を変形させることがなく、また、隙間を最小限にしたことにより可動桟を上下動させる際にガタついたり、可動桟が転ぶ等の虞がなく、可動桟をスムーズに上下動させることが出来る。取付ける開口に合わせた網戸枠の微調整も可能である。
【００４２】
なお、以上の説明では、ネットの導出は網戸縦枠上部と網戸上枠を連結するコーナーブロックに設けるものとして説明したが、本発明は、これに限定されない。即ち、網戸縦枠自体の上端部近傍に切欠きを設けてその切欠きを通してネットを導出する構成でもよい。
その場合、ネットを交換するためには、インナーレールごと外せばよいから、ネットを従来のように可動桟を付けたまま外す場合に比べて切欠きを小さくでき、したがって敢えてカバーを付する必要がなく低コストにできる。
【符号の説明】
【００４３】
１・・・窓枠、２・・・網戸枠、３・・・ネット部、１０・・・網戸、１２・・・網戸上枠、１４・・・網戸縦枠、１６・・・可動桟、２０・・・インナーレール、２２・・・スリット、２４・・・縦枠アタッチメント、３０・・・ネット、３２・・・・（ネット３０の）端部、４０・・・可動桟キャップ、５０・・・コーナーブロック、５６・・・ネット導出補助部、６０・・・縦枠キャップ、６６・・・コイルバネ、７０・・・ストッパ、８０・・・取手。
【図１】
0006504979.tif 000002
【図２】
0006504979.tif 000003
【図３】
0006504979.tif 000004
【図４】
0006504979.tif 000005
【図５】
0006504979.tif 000006
【図６】
0006504979.tif 000007
【図７】
0006504979.tif 000008
【図８】
0006504979.tif 000009